【事件の表示】
　特許第３１７３３４９号「ファインダーの塵埃除去構造」の請求項１、２に係る特許に対する特許異議の申立てについて、次のとおり決定する。
【結　論】
　訂正を認める。
　特許第３１７３３４９号の請求項１ないし２に係る特許を維持する。
【理　由】
１．手続の経緯
　特許第３１７３３４９号の請求項１、２に係る発明は、平成７年９月２６日に特許出願され、平成１３年３月３０日にその発明について特許権の設定登録がなされ、その後、その特許について、特許異議申立人有限会社オフィスアテナにより特許異議の申立てがなされ、取消の理由が通知され、その指定期間内である平成１４年４月２２日に訂正請求がなされたものである。
　
２．訂正の適否についての判断
（１）訂正の内容
　特許権者が求めている訂正の内容は以下のａ、ｂのとおりである。
ア．訂正事項ａ
　特許請求の範囲の請求項１に係る記載
「【請求項１】　カメラボディーに組み込み可能なケースに収納されたファインダー光学系の光学部品に付着した塵埃を除去するためのファインダーの塵埃除去構造において、前記ファインダーの光学系を収納するケースには、気体吹き出しノズルからの気体を吹き込み可能な開口部が、カメラボディーに組込状態で露出する部分に設けられていることを特徴とするファインダーの塵埃除去構造。」を、
「【請求項１】　カメラボディーに組付けられるファインダーユニットのケースに収納されたファインダー光学系の光学部品に付着した塵埃を除去するためのファインダーの塵埃除去構造において、前記ファインダーユニットのケースには、当該ファインダーユニットを前記カメラボディーに組付けた状態で露出する部分に前記ファインダー光学系の被写体像の結像面に通じる開口部が形成されており、前記ファインダーユニットを前記カメラボディーに組付けた状態で前記開口部に気体吹き出しノズルから気体を吹き込むことによって前記結像面の塵埃を除去し、その後、カメラのカバーを取り付けて前記カメラボディー及び前記ファインダーユニットをカメラ内部に組み込むように構成されていることを特徴とするファインダーの塵埃除去構造。」と訂正する。
　
イ．訂正事項ｂ
　明細書段落【０００６】の「本発明は前記目的を達成する為に、・・・特徴としている。」を、
「本発明は前記目的を達成するために、カメラボディーに組付けられるファインダーユニットのケースに収納されたファインダー光学系の光学部品に付着した塵埃を除去するためのファインダーの塵埃除去構造において、前記ファインダーユニットのケースには、当該ファインダーユニットを前記カメラボディーに組付けた状態で露出する部分に前記ファインダー光学系の被写体像の結像面に通じる開口部が形成されており、前記ファインダーユニットを前記カメラボディーに組付けた状態で前記開口部に気体吹き出しノズルから気体を吹き込むことによって前記結像面の塵埃を除去し、その後、カメラのカバーを取り付けて前記カメラボディー及び前記ファインダーユニットをカメラ内部に組み込むように構成されていることを特徴としている。」と訂正する。
　
（２）訂正の目的の適否、新規事項の有無、及び特許請求の範囲の拡張・変更の存否
　上記訂正事項ａは、特許請求の範囲の減縮を目的とした明細書の訂正に該当し、新規事項の追加に該当せず、また、実質上特許請求の範囲を拡張し、又は変更するものでもない。
　また、上記訂正事項ｂは上記訂正事項ａの訂正に伴い、発明の詳細な説明の記載を適合させるものであるから、明瞭でない記載の釈明を目的とする明細書の訂正に該当し、新規事項の追加に該当せず、また、実質上特許請求の範囲を拡張し、又は変更するものでもない。
　
（３）むすび
　以上のとおりであるから、上記訂正は、特許法第１２０条の４第２項及び同条第３項において準用する特許法第１２６条第２項、第３項の規定に適合するので、当該訂正を認める。
　
３．特許異議申立てについての判断
（１）特許異議申立ての理由の概要
　特許異議申立人有限会社オフィスアテナは、特許第３１７３３４９号の請求項１に記載された発明は甲第１号証に記載された発明と同一であり、特許法第２９条第１項第３号の規定により特許を受けることができず、また、請求項１、２に記載された発明は、甲第１号証〜甲第３号証に記載された発明に基づいて、その発明の属する技術の分野における通常の知識を有するものが容易に発明をすることができたものであるから、特許法第２９条第２項の規定により特許を受けることができないものであり、特許法第１１３条第２号の規定により取り消すべきものである旨主張している。
　
（２）本件発明
　特許第３１７３３４９号の請求項１、２に係る発明（以下、それぞれ「本件発明１」、「本件発明２」という。）は、平成１４年４月２２日付けの訂正明細書の特許請求の範囲の請求項１、２に記載された事項により特定される次のとおりのものである。
　請求項１「カメラボディーに組付けられるファインダーユニットのケースに収納されたファインダー光学系の光学部品に付着した塵埃を除去するためのファインダーの塵埃除去構造において、前記ファインダーユニットのケースには、当該ファインダーユニットを前記カメラボディーに組付けた状態で露出する部分に前記ファインダー光学系の被写体像の結像面に通じる開口部が形成されており、前記ファインダーユニットを前記カメラボディーに組付けた状態で前記開口部に気体吹き出しノズルから気体を吹き込むことによって前記結像面の塵埃を除去し、その後、カメラのカバーを取り付けて前記カメラボディー及び前記ファインダーユニットをカメラ内部に組み込むように構成されていることを特徴とするファインダーの塵埃除去構造。」
　請求項２「前記ケースの底面には、前記気体で吹き飛ばした塵埃を付着させる粘着テープが配置されていることを特徴とする請求項１記載のファインダーの塵埃除去構造。」
　
（３）特許異議申立ての理由について
（３−１）引用刊行物
刊行物１：実願昭６３−１５８１８８号（実開平２−７９６７１号）のマイクロフィルム（甲第１号証）
刊行物２：特開平３−１０２３０７号公報（甲第２号証）
刊行物３：特開平７−７７７４５号公報（甲第３号証）
　
（３ー２）刊行物に記載された発明
　刊行物１には、次の事項が記載されている。
「ＣＲＴ部回転式の電子ビューファインダーに於いて、ＣＲＴ面及び反射鏡のクリーニング用窓を設置したことを特徴とする電子ビューファインダー。」（実用新案登録請求の範囲第１項）
「ビデオカメラのモニター用として、電子ビューファインダーの用途が増えてきている。・・・また、小型軽量化が推進され、カメラとビューファインダーの一体感を持たせる全体デザインが重視されつつある。・・・第２図の如く、レンズ部が着脱困難の場合ＣＲＴ面や反射鏡に付着したゴミのクリーニングが大変困難であるという欠点がある。」（第１頁第１７行〜第２頁第１２行）
「第１図は、本考案の一実施例であるビューファインダーの平面図である。本実施例ではＣＲＴ（３）と反射鏡（４）の位置する間の回転外装部（２）に窓を開け、ＣＲＴ（３）と反射鏡（４）のクリーニングが容易に出来るようにした。」（第２頁第２０行〜第３頁第４行）
「本考案によれば、回転外装部に窓を開けた為、ＣＲＴ面や反射鏡のクリーニングが大変容易になったことにより、製造工程及びアフターサービス面からも有効である。」（第３頁第１７〜２０行）
　上記記載及び刊行物１の第１〜５図を参照すると、刊行物１には「回転外装部に収納されたＣＲＴや反射鏡に付着したゴミをクリーニングするための電子ビューファインダーのクリーニング構造において、回転外装部に窓を開ける」こと（以下、「引用発明」という。）が記載されているものと認められる。
　
　また、刊行物２には、次の事項が記載されている。
「テレビレンズの外部からレンズ光学系の最後部光学素子面まで清掃ならびに曇り除去用ガスを導く通路を有することを特徴とするテレビレンズ。」（特許請求の範囲、請求項１）
「本発明は、テレビレンズの外部からレンズ光学系の最後部光学素子面まで清掃ならびに曇り除去用ガスを導く通路を有するものとした。・・・本発明によれば、テレビレンズ外部からレンズ光学系の最後部光学素子面までガスを導く通路を有するので、テレビレンズをテレビカメラから取り外さなくても、前記通路を通して該光学素子面の全面にガスを噴射させることにより、該光学素子面の清掃ならびに曇り除去を行なうことができる。」（第２頁左上欄第６〜１７行）
「第１図は本発明の一実施例を示している。同図において、１はレンズ光学系最後部光学素子、２は光学系光学素子、３は該光学素子１，２を保持する鏡筒、４は該光学素子１，２の間隔を保持するスペーサー、５はレンズ筐体、６はガス注入口、７はガスを導く通路としてのパイプ、８と９はレンズとカメラをその光軸を合わせて締結するレンズマウント部材、１０はカメラ筐体、１１はレンズ本体内へのガス流入防止用パッキン、１２はごみ進入を防ぐエアフィルタである。第２図は前記レンズ筐体５の光学素子面噴射口の円周溝内部のガスの流れを表わす図である。図示のように構成されたテレビレンズにおいては、ガス注入口６にガスボンベを接続し、ガスを注入する。ガスは中間のエアフィルタ１２を経てパイプ７内を通り、レンズ筐体５のガス噴射口である円周溝に誘導され、レンズ光学系最後部光学素子１の全面に外周全周から噴射され、レンズ筐体５の下部通路を通り、レンズ外に排出される。このようにすることにより、レンズ光学系最後部光学素子１の全面の清掃ならびに曇り除去を、テレビレンズをテレビカメラから取り外さずに行なえる。」（第２頁左上欄第１９行〜左下欄第４行）
　
　また、刊行物３には、次の事項が記載されている。
「【課題を解決するための手段】上記目的を達成するために、請求項１に記載の画像読取装置は、原稿としてのフィルム６からの光を投影レンズ３を介して固体撮像素子としてのＣＣＤ４上に結像し、フィルム６の画像を電気信号に変換して読み取る画像読取装置において、投影レンズ３及びＣＣＤ４を収納する筐体１の内面に吸塵用部材としての粘着テープ１１を設けたことを特徴とする。」（【０００７】）
「【作用】請求項１に記載の画像読取装置においては、筐体１の内面に粘着テープ１１を設けたので、筐体１の内部に発生する塵などを吸着することができ、画像情報の劣化を防ぐことができる。」（【００１１】）
「図１及び図２に本発明の第１の実施例の構成を示す。図１、２において、図５、６に示す従来例の部分と対応する部分には同一の符号を付してあり、その説明は適宜省略する。筐体１の底面には矩形状の孔部１ａが形成されており、孔部１ａには投影レンズ３の下部が嵌合装着されていて、装置全体の高さを低く抑えている。孔部１ａは不織布を基材とし片面に粘着層が形成された粘着テープ１１により、粘着層を介して閉塞されている。」（【００１６】）
「本実施例によれば、孔部１ａは粘着テープ１１により閉塞されているので、筐体１内への塵などの侵入を防ぐことができる。また粘着テープ１１の内面の粘着層は投影系の内部に露出しているので、筐体１内に侵入しまたは発生する塵などを吸着することができ、塵が投影系に付着することにより発生する画像情報の劣化を防止できる。さらに粘着テープ１１は繊維がランダムに圧縮成形されたものを基材としているので、光の反射を防ぐ効果があり、ゴーストやフレアの発生を防止することができる。このため従来筐体１の内面に設けられていた斜光線８などの加工が不要となり、コストを低減することができる。」（【００１８】）
「【発明の効果】以上説明したように、請求項１に記載の画像読取装置によれば、投影レンズ系を収納する筐体内面に吸塵用部材を設けたので、筐体内の塵などを吸着することができ、画像情報の劣化を防ぐことができる。」（【００２２】）
　
（３−３）対比・判断
　引用発明に記載された「回転外装部」、「ＣＲＴや反射鏡」、「ゴミ」、「クリーニング」、「電子ビューファインダー」及び「窓を開ける」は、それぞれ本件発明１の「ファインダーユニットのケース」、「ファインダー光学系の光学部品」、「塵埃」、「除去」、「ファインダー」及び「開口部が形成」に相当する。また、引用発明の回転外装部はカメラボディーに組付けられることは明らかであり、引用発明の回転外装部の窓は回転外装部をカメラボディーに組付けた状態で露出することも明らかである。そうすると両者は、
「カメラボディーに組付けられるファインダーユニットのケースに収納されたファインダー光学系の光学部品に付着した塵埃を除去するためのファインダーの塵埃除去構造において、前記ファインダーユニットのケースには、当該ファインダーユニットを前記カメラボディーに組付けた状態で露出する部分に開口部が形成されているファインダーの塵埃除去構造」の点で一致し、
　本件発明１は、開口部がファインダー光学系の被写体像の結像面に通じる部分に形成されており、開口部に気体吹き出しノズルから気体を吹き込むことによって前記結像面の塵埃を除去し、その後、カメラのカバーを取り付けて前記カメラボディー及び前記ファインダーユニットをカメラ内部に組み込むように構成されているのに対し、引用発明にはそのような記載がない点（以下、「相違点」という。）で相違する。
　
　そこで、上記相違点について検討する。
　刊行物２には光学素子の清掃をガス注入口にガスボンベを接続し、ガスを注入することにより行うこと、つまり開口部に気体吹き出しノズルから気体を吹き込むことによってゴミを除去するようにすることが記載されてはいるが、開口部がファインダー光学系の被写体像の結像面に通じる部分に形成されていて、気体を吹き込むことによって結像面の塵埃を除去することや、結像面の塵埃を除去後、カメラのカバーを取り付けてカメラボディー及びファインダーユニットをカメラ内部に組み込むように構成されていることは刊行物２にも記載されていない。また、この点は刊行物３にも記載されていない。そして、本件発明１は各引用例に記載されていない上記構成を有することにより被写体像の結像面に付着した塵埃を効果的に除去することができ、カメラの組み立て工程における塵埃除去作業の効率化を図ることができるのであるから、本件発明１は、刊行物１に記載された発明ではなく、刊行物１〜３に記載された発明に基づいて当業者が容易に発明をすることができたものでもない。
　また、本件発明２は本件発明１を引用しているので本件発明２についても刊行物１〜３に記載された発明に基づいて当業者が容易に発明をすることができたものではない。
　
（４）むすび
　以上のとおりであるから、特許異議申立ての理由及び証拠によっては、本件発明１、２についての特許を取り消すことはできない。
　また、他に本件発明１、２についての特許を取り消すべき理由を発見しない。
　よって、結論のとおり決定する。
【異議決定日】
平成１４年５月８日（２００２．５．８）
【訂正の要旨】
　【訂正の要旨】
訂正事項ａ
　特許請求の範囲の請求項１に係る記載
「【請求項１】　カメラボディーに組み込み可能なケースに収納されたファインダー光学系の光学部品に付着した塵埃を除去するためのファインダーの塵埃除去構造において、前記ファインダーの光学系を収納するケースには、気体吹き出しノズルからの気体を吹き込み可能な開口部が、カメラボディーに組込状態で露出する部分に設けられていることを特徴とするファインダーの塵埃除去構造。」を、
「【請求項１】　カメラボディーに組付けられるファインダーユニットのケースに収納されたファインダー光学系の光学部品に付着した塵埃を除去するためのファインダーの塵埃除去構造において、前記ファインダーユニットのケースには、当該ファインダーユニットを前記カメラボディーに組付けた状態で露出する部分に前記ファインダー光学系の被写体像の結像面に通じる開口部が形成されており、前記ファインダーユニットを前記カメラボディーに組付けた状態で前記開口部に気体吹き出しノズルから気体を吹き込むことによって前記結像面の塵埃を除去し、その後、カメラのカバーを取り付けて前記カメラボディー及び前記ファインダーユニットをカメラ内部に組み込むように構成されていることを特徴とするファインダーの塵埃除去構造。」と訂正する。
訂正事項ｂ
　明細書段落【０００６】の「本発明は前記目的を達成する為に、・・・特徴としている。」を、
「本発明は前記目的を達成するために、カメラボディーに組付けられるファインダーユニットのケースに収納されたファインダー光学系の光学部品に付着した塵埃を除去するためのファインダーの塵埃除去構造において、前記ファインダーユニットのケースには、当該ファインダーユニットを前記カメラボディーに組付けた状態で露出する部分に前記ファインダー光学系の被写体像の結像面に通じる開口部が形成されており、前記ファインダーユニットを前記カメラボディーに組付けた状態で前記開口部に気体吹き出しノズルから気体を吹き込むことによって前記結像面の塵埃を除去し、その後、カメラのカバーを取り付けて前記カメラボディー及び前記ファインダーユニットをカメラ内部に組み込むように構成されていることを特徴としている。」と訂正する。
（５４）【発明の名称】
ファインダーの塵埃除去構造
（５７）【特許請求の範囲】
　【請求項１】　カメラボディーに
組付けられるファインダーユニットの
　前記ファインダー
ユニットの
当該ファインダーユニットを前記カメラボディーに組付けた状態で露出する部分に前記ファインダー光学系の被写体像の結像面に通じる開口部が形成されており、
　
前記ファインダーユニットを前記カメラボディーに組付けた状態で前記開口部に
ら気
むことによって前記結像面の塵埃を除去し、その後、カメラのカバーを取り付けて前記カメラボディー及び前記ファインダーユニットをカメラ内部に組み込むように構成されている
　【請求項２】　前記ケースの底面には、前記気体で吹き飛ばした塵埃を付着させる粘着テープが配置されていることを特徴とする請求項１記載のファインダーの塵埃除去構造。
【発明の詳細な説明】
　【０００１】
　【発明の属する技術分野】
　本発明はファインダーの塵埃除去構造に係り、特にコンパクトカメラ等に適用され、ファインダーユニットをカメラボディーに組付けた状態で、ファインダー光学系の経路中に付着した塵埃を除去するに適したファインダーの塵埃除去構造に関する。
　【０００２】
　【従来の技術】
　従来、カメラに組み込まれる光学ファインダーは、一般に対物レンズ、プリズム、視野枠及び接眼レンズ等の光学部品がファインダーのケースに収納されて成り、前記対物レンズから出射された被写体光をプリズムによって屈折して被写体像を結像させ、視野枠で視野を規制した後接眼レンズに導き、該接眼レンズを介して被写体像を観察できるように構成されている。
　【０００３】
　また、コンパクトカメラにおいては、上記構成のファインダーユニットがカメラボディーに組付けられた後、前カバー及び後カバーが取り付けられる工程を経る。かかる組み立て工程において、通常、ファインダーユニットをカメラボディーに組付けた後、前記カバーを被せる前に、ファインダーユニット内の塵埃除去作業が行われることが多い。前記塵埃除去作業は、ファインダーユニットに気体（圧縮エア等）を吹き込んで塵埃を飛散させることにより行われる。
　【０００４】
　【発明が解決しようとする課題】
　しかしながら、従来のファインダーでは、ファインダーユニットに吹き込まれる気体がユニットの内部まで十分に届かず、塵埃除去の効果が薄いという問題がある。特に、被写体像の結像面たるプリズムの出射端面は接眼レンズで拡大されて接眼部に導かれるため、この結像面に付着した塵埃は確実に除去する必要があるため、従来の塵埃除去では不十分である。
　【０００５】
　また、かかる塵埃除去作業は、上述のようにファインダーユニットをカメラボディーに組付けた後、カバーを組み付ける前の工程で行われることが多く、塵埃除去の為にファインダーユニットを分解するのは作業効率の上から好ましくない。
　本発明はこのような事情に鑑みてなされたもので、ファインダーユニットをカメラボディーに組付けた状態で、ファインダー光学系の経路中に付着した塵埃を除去するに適したファインダーの塵埃除去構造を提供することを目的とする。
　【０００６】
　【課題を解決するための手段】
　本発明は前記目的を達成するために、カメラボディーに
組付けられるファインダーユニットの
ユニットの
当該ファインダーユニットを前記カメラボディーに組付けた状態で露出する部分に前記ファインダー光学系の被写体像の結像面に通じる開口部が形成されており、前記ファインダーユニットを前記カメラボディーに組付けた状態で前記開口部に
ら気
むことによって前記結像面の塵埃を除去し、その後、カメラのカバーを取り付けて前記カメラボディー及び前記ファインダーユニットをカメラ内部に組み込むように構成されている
　【０００７】
　本発明によれば、ファインダー光学系を収納するケースに気体を吹き込むことができる開口部をケースがカメラボディーに組み込まれた状態で露出する部分に形成したので、該ケースをカメラボディーに組み込んだ後、前記開口部から気体を吹き込んで光学部品に付着した塵埃を飛散させることができる。
　前記ファイダー光学系を構成する光学部品のうち、特に被写体像の結像面となる部分に付着する塵埃を除去するように、前記開口部は、前記結像面付近に通じる位置に形成することが最も効果的と考えられる。
　【０００８】
　また、前記ケースの底面に粘着テープを配置することにより、気体で吹き飛ばされた塵埃を該粘着テープに付着させている。これにより、塵埃が光学部品に再付着するのを防止することができる。
　【０００９】
　【発明の実施の形態】
　以下添付図面に従って本発明に係るファインダーの塵埃除去構造の好ましい実施の形態について説明する。
　図１は、本発明に係るファインダーの塵埃除去構造が適用されたカメラの外観を示す斜視図である。同図に示すカメラ１０の前カバー１１の前面中央部には、撮影レンズ１２の組み込まれた鏡胴１３が取り付けられている。前記撮影レンズ１２の上部右隅部には、ストロボ窓１４、そしてストロボ窓１４の図中左側にはファインダー対物窓１６、ＡＦ投光窓１８、測光窓２０、ＡＦ受光窓２２、が順に形成されている。また、カメラ１０の上面にはシャッターボタン２４が設けられている。
　【００１０】
　前記ＡＦ投光窓１８の内側にはＡＦ投光部、前記ＡＦ受光窓２２の内側にはＡＦ受光部が設けられ、これら投光／受光部とで被写体までの距離を測定する測距部が構成され、この測距部（ＡＦ部）は例えば三角測量の原理に基づいて被写体までの距離を求め、その結果はオートフォーカス（ＡＦ）制御に利用される。
　前記測光窓２０の内側には、外光を入射させる図示しないレンズと、該レンズの結像位置に設けられた受光素子から成る測光部が設けられ、この測光部によって撮影視野内の外光輝度を測定する。その測定結果は露出制御（ＡＥ制御）に利用される。
　【００１１】
　前記撮影レンズ１２は、例えば焦点距離をｆ＝２５〜５５ｍｍの範囲で変えることができる２倍ズーム、又は焦点距離をｆ＝３０〜９０ｍｍの範囲で変えることができる３倍ズームというように、各機種毎に異なる光学系で構成される。また、カメラ１０の背面には図示しないズームボタンが設けられている。
　このズームボタンを操作すると、図示しないレンズ駆動用モータが駆動され、該モータの駆動力は、複数のギヤを介して、前記撮影レンズ１２の駆動機構及び、ズームファインダーの移動レンズ駆動系の駆動機構に伝達される。撮影者は、前記ズームボタンを操作することで所望の撮影倍率を選択することができ、撮影画角と略等しい視野をファインダーの接眼部から観察することができる。前記ズームファインダーの構成及び移動レンズ駆動系の駆動機構については、後述する。
　【００１２】
　また、カメラ１０内部の前記撮影レンズ１２の光軸上には、シャッター（不図示）が組み込まれており、該シャッターは前記シャッターボタン２４の操作に連動して動作する。
　図２は、カメラ１０の内部に組み込まれたファインダーユニット３０の斜視図である。フィンダーユニット３０の本体ケース３１には図中左から順にＡＦ受光窓２２に対応したＡＦ受光収納部３２、前記ＡＦ投光窓１８に対応したＡＦ投光収納部３４、前記ファインダー対物窓１６の内側に設けられた対物レンズ３６が配置されている。
　【００１３】
　このファインダーユニット３０は、前記本体ケース３１が第１の収納ケース４０と第２の収納ケース７０とに二分割されており（図３参照）、前記第１の収納ケース４０には、ＡＦ部（ＡＦ受光部及びＡＦ投光部）、対物レンズ３６、及び移動レンズ系３８等が収納されて第１ブロックが形成される。他方、第２の収納ケース７０にはプリズム７２、接眼レンズ７４等が収納されて第２ブロックが形成されている。
　【００１４】
　図４は前記第１ブロックの分解斜視図である。同図に示すように、この第１ブロックは、第１の収納ケース４０にファインダーの変倍光学系と、該変倍光学系の駆動機構とが搭載されて構成されている。
　前記ファインダー変倍光学系は、対物レンズ３６及び移動レンズ４２、４３から構成される。対物レンズ３６は、該第１の収納ケース４０の前面に形成された対物レンズ用開口窓４０ａに嵌めこまれており、該対物レンス３６の後方に、前記移動レンズ４２、４３が溝４５に収納される。また、前記移動レンズ４２、４３の間にはマスク部材４７が設けられている。
　【００１５】
　前記移動レンズ４２、４３の左右の縁部には、それぞれ平坦部５１、５２が形成され、これら平坦部５１、５１には突起部５１Ａ、５１Ａが一体形成されるとともに、平坦部５２、５２には、ガイド孔５４、５５が形成されている。前記ガイド孔５４、５５にはガイド棒５６が挿通され、該ガイド棒５６の前端は、第１の収納ケース４０の前壁に形成された孔４０ｂに圧入され、ガイド棒５６の後端は、前記第１の収納ケース４０の後壁に形成された孔４０ｂに圧入され固定される。
　【００１６】
　また、前記第１の収納ケース４０において、前記移動レンズ４２、４３を収納する溝４５の左側面上部には段差部５７が形成されている。この段差部５７に前記移動レンズ４２、４３の突起部５１Ａ、５１Ａが位置され、そして、この移動レンズ４２、４３の上方から対物蓋４１で溝４５を覆うことにより、前記段差部５７と前記対物蓋４１の下縁とでスライド溝が形成される。このスライド溝に沿って移動レンズ４２、４３が前記突起部５１Ａ、５１Ａを介して前後方向の移動可能にガイドされると共に、上下方向の振れが抑えられる。
　【００１７】
　前記移動レンズ４２、４３の側部には従動ピン５４Ａ、５５Ａが突設されており、該従動ピン５４Ａ、５５Ａは、変倍光学系の駆動機構を構成するカム軸５８に係合されている。
　前記駆動機構は、カム軸５８と該カム軸５８を回転駆動するモータ（不図示）とから構成される。このモータは、撮影レンズの鏡胴１３の駆動用モータと兼用されており、モータの回転力が図示しないギヤ列を介して、カム軸５８に固着されたギヤ５９Ａに伝達されるようになっている。
　【００１８】
　前記カム軸５８は、前記移動レンズ４２、４３の光学的位置関係を規定するカム面５８Ａ、５８Ｂがその外周に形成されている。このカム軸５８の両端は第１の収納ケース４０に形成された孔４０ｃ、４０ｃにそれぞれ圧入され固定される。尚、後ろ側のギヤ５９Ｂはストロボ機構（不図示）に連動している。
　前記カム軸５８の前側のカム面５８Ａには、移動レンズ４２の従動ピン５４Ａが当接され、前記カム軸５８の後ろ側のカム面５８Ｂには、移動レンズ４３の従動ピン５５Ａが当接されている。また、移動レンズ４２、４３の上部にはＬ字形状のフック５４Ｂ、５５Ｂが形成されており、これらフック５４Ｂ、５５Ｂ間に引張バネ４８が渡されている。この引張バネ４８の付勢力により、従動ピン５４Ａが前記カム面５８Ａに押し付けられ、従動ピン５５Ａが前記カム面５８Ｂに押し付けられている。これにより、移動レンズ４２、４３の相対的な位置が規制されている。
　【００１９】
　前述したようにカム軸５８を回転駆動するモータは撮影レンズの鏡胴１３のモータと兼用されているので、モータを駆動するとカム軸５８は鏡胴１３と連動して回動する。これにより、撮影画角とファインダー視野範囲が一致するようになっている。
　また、第１の収納ケース４０の上面、即ち、前記ガイド棒５６が装着されるべき部分には長孔４４が形成されている。該長孔４４は、後述するプリズム７２の出射面７２Ｅに通じており、この長孔４４に図示しない気体吹き出しノズルから圧縮エア（クリーンエア）を吹き込んで、ファインダーユニット３０内の光学部品に付着した塵埃、特に後述するプリズムの出射面７２Ｅに付着した塵埃を飛散させることができるようになっている。
　【００２０】
　図５は第２ブロックの分解斜視図である。同図に示すように、第２ブロックは第２の収納ケース７０に、プリズム７２、ハイビジョン（Ｈ）視野枠７５、コンベンション／パノラマ（ＣＰ）視野枠７６、視野切替レバー７９、視野枠ベース８０、フィールドレンズ８２、ミラー８３、及び接眼レンズ７４等が搭載されて構成される。
　【００２１】
　前記プリズム７２は、第２の収納ケース７０の上部に形成された傾斜面７０Ａに沿って第２の収納ケース７０内に収納され、プリズム押さえ板７３によって、図の右側に付勢されて、第２の収納ケース７０内にガタ無く位置決めされている。
　このプリズム７２は、直角プリズムを２個組み合わせた形状をしており、入射する被写体光を三回反射して正立像を得ている。即ち、ズーム光学系から出射された被写体光は、プリズム７２の入射面７２Ａから入射し、反射面７２Ｂで下方に９０度反射され、その後反射面７２Ｃで前方に９０度反射され、更に、反射面７２Ｄで水平方向（横方向）に９０度反射されて、前記入射面７２Ａと直交する出射面７２Ｅから出射される。前記出射面７２Ｅには、ターゲットマーク及びパララックス補正マークが刻まれており、該出射面７２Ｅに被写体像が結像される。このように、プリズム７２によって、光路を入射方向（前方）へ一度折り返すことで、カメラ１０の薄型化が図られている。
　【００２２】
　前記プリズムの出射面７２Ｅと近接して配置されるＨ視野枠７５は、プリントアスペクト比（ＰＡＲ）のハイビジョンサイズ（Ｈサイズ）に相当する画角の視野を画成する固定枠であり、コンベンション（Ｃ）サイズ又はパノラマ（Ｐ）サイズを含めて最も大きい面積を画する視野枠である。
　前記Ｈ視野枠の後方には、更に、Ｃサイズ又はＰサイズに相当する視野を切替え画成することができるＣＰ視野枠７６が設けられている。このＣＰ視野枠７６は、略Ｌ字形状の一対の視野枠片７６ａ、７６ｂ、視野切替レバー７９、及び視野枠ベース８０とで構成されており、前記一対の視野枠片７６ａ、７６ｂを上下対向して組み合わせ、この一対の視野枠片を４５度方向に互いに近づく方向、又は遠ざかる方向に移動してＣサイズ又はＰサイズの視野領域を拡縮するものである。
　【００２３】
　前記視野枠片７６ａ、７６ｂの両端にはそれぞれ、斜め４５度方向に長方形状のストローク孔７７Ａ、７７Ｂが形成されている。このストローク孔７７Ａ、７７Ｂに、前記視野枠ベース８０に突設されたピン８０ａ、８０ｂが係合される。また、前記視野枠片７６ａ、７６ｂの角部付近には、それぞれ長孔７８Ａ、７８Ｂが形成されており、該長孔７８Ａ、７８Ｂに前記視野切替レバー７９に突設されたピン７９ａ、７９ｂがそれぞれ係合されている。
　【００２４】
　前記視野枠ベース８０の前面は、前記視野切替レバー７９の回動を案内する円弧状の案内溝が形成されており、視野切替レバー７９が前記円弧溝に案内されて回動し、その結果、前記視野枠片７６ａ、７６ｂによって視野が切り替えられるようになっている。
　前記視野枠ベース８０の後方には、フィールドレンズ８２が固定され、更にその後方に、ミラー８３が固定されている。ミラー８３は、フィールドレンズ８２の出射面に対して、４５度の角度で第２の収納ケース７０の縁面部に嵌めこまれ、ミラー押さえ板８５によってミラー８３の背後から付勢され、第２の収納ケース７０に固定される。このミラー８３により、前記プリズム７２の出射面の光軸はカメラ１０の背面方向に９０度反射され、接眼レンズ７４へと導かれる。
　【００２５】
　前記接眼レンズ７４は第２の収納ケース７０に形成された開口部７０Ｂに視度調整カム（不図示）を介して、前後移動可能に取り付けられている。視度調整カムは視度調整つまみと連結されており、撮影者は視度調整つまみを動かして接眼レンズ７４を前後させ、視度を調整することができる。
　一方、前記視野切替レバー７９の下部には、ギヤ７９Ｃが形成されており、このギヤ７９Ｃは切替ギヤ８８Ａに噛合される。切替ギヤ８８Ａは図６に示す視野切替軸８８の一端に形成されている。
　【００２６】
　図６は視野切替機構の構造図である。同図に示すように、この視野切替機構は、カメラ後方の壁面１１ａに上下移動可能に設けられらＰＡＲつまみ９０と、該ＰＡＲつまみ９０と連結され、ＰＡＲつまみ９０と一体となって上下移動するＰＡＲ接片９１と、該ＰＡＲ接片９１と連結されＰＡＲ接片９１の上下の動きを前記視野切替軸８８に伝達するバネ９２が取り付けられたＣＨＰレバー９３とから構成される。
　【００２７】
　カメラ１０後方の壁面１１ａの内側には、前記ＰＡＲ接片９１の停止位置を規制するクリック溝９５Ａ、９５Ｂ、９５Ｃが形成されており、図の上からそれぞれ、Ｃ、Ｈ、Ｐの各視野の切替に対応するものである。前記ＰＡＲ接片９１には、このクリック溝９５Ａ、９５Ｂ、９５Ｃの一つに係合する爪９１Ａが折り曲げ形成されており、前記ＰＡＲつまみ９０は、前記Ｃ、Ｈ、Ｐの三段階に切り替えられる。
　【００２８】
　視野切替軸８８の一端は前述のように視野切替レバー７９のギヤ７９Ｃに切替ギヤ８８Ａを介して連結され、他端は、ＣＨＰバネ９２を介してＣＨＰレバー９３に接続されている。これにより、ＰＡＲつまみ９０を上下に切替ると、ＰＡＲ接片９１が上下し、ＣＨＰレバー９３が上下する。そして、該ＣＨＰレバー９３の動きはバネ９２を介して前記視野切替軸８８に伝達される。
　【００２９】
　Ｃサイズ又はＰサイズは、前記ハイビジョンサイズの領域を部分的に制限した大きさであることから、前記Ｈ視野枠７５の固定枠を利用しつつ、前記一対の視野枠片７６ａ、７６ｂを上下に組み合わせて、両視野枠片７６ａ、７６ｂを対角方向に適量移動させることによって、Ｈ、Ｃ又はＰの各サイズに相当する視野を切り替えることができる。
　【００３０】
　ところで、図４に示した第１ブロックの下側に図５に示した第２ブロックを組付けるには、前記第１ブロックの第１の収納ケース４０に形成された孔４０ｄ、４０ｄに第２ブロックに形成された突起部７０ｄ、７０ｄをそれぞれ嵌入して位置決めし、第１ブロックの孔４０ｅ、４０ｅと第２ブロックの孔７０ｅ、７０ｅを合わせて、上からネジで連結する。これにより、図２に示したファインダーユニットとなる。そして、このファインダーユニット３０は孔４０ｆを介してカメラボディー３３の上部に組付けられている。
　【００３１】
　図７は第２の収納ケース７０の背面図である。図７に示すように、第２の収納ケース７０の背面には、孔７１（開口部）が形成されている。該孔７１は、前記プリズム７２の出射面７２Ｅの近傍に通じており、図４に示した第１の収納ケース４０に形成された長孔４４と同様に、この孔７１から圧縮エアを吹き込んで、ファインダーユニット３０内の塵埃、特にプリズムの出射面７２Ｅに付着した塵埃を飛散させることができるようになっている。
　【００３２】
　図８はファインダーの塵埃除去構造を説明するための図であり、ファインダーユニット３０をプリズム７２の出射面７２Ｅで切断した断面図である。尚、図の左側がカメラ１０の前方に相当する。同図に示すように、カメラボディー３３の上部にファインダーユニット３０が組付けられており、この状態では、ファインダーユニット３０の底面はカメラボディー３３との組付け面になっており、外観上露出していない。そして、ファインダーユニット３０の前面、上面、背面、及び両側面が露出することになる。本実施の形態では、ファインダーユニット３０がカメラボディー３３に組付けられた状態で露出する部分のうち、上面と背面にれぞれ塵埃除去用の気体吹き込み口である孔４４、７１が形成されていることを特徴としている。
　【００３３】
　また、前記ファインダーユニット３０の底面には開口３０Ａが形成されており、該開口３０Ａは粘着テープ８７により塞がれている。この粘着テープ８７は、前記塵埃除去用の気体吹き込み孔４４、７１から導入した圧縮エアにより飛散した塵埃を付着させるためのものである。
　上記の如く構成されたファインダーによれば、図８に示したように、ファインダーユニット３０をカメラボディー３３に組付けた状態では、ファインダーユニット３０の底面は、カメラボディー３３との結合部分となって外見上隠れてしまい、それ以外の部分が露出している。この露出する部分、即ち、ファインダーユニット３０の上面及び背面に塵埃除去用の孔４４、７１を設けたので、ファインダーユニット３０をカメラボディー３３に組付けた後、前記塵埃除去用の気体吹き込み孔４４、７１からクリーンエアを吹きつけて、該ファインダーユニット３０内の光学部品に付着した塵埃を飛散させることができる。
　【００３４】
　特に、本実施の形態では、前記塵埃除去用の孔４４、７１は、プリズムの出射面７２Ｅに通じる位置に形成されているので、被写体像の結像面に付着した塵埃を効果的に除去することができる。尚、孔を形成する場所を代えることによって、プリズムの出射面以外の部分に付着した塵埃を効果的に除去することも可能である。
　【００３５】
　また、ファインダーユニット３０の底面には粘着テープ８７が設けられているので、前記クリーンエアにより飛散した塵埃は、該粘着テープ８７に付着する。これにより、塵埃の再付着を防止することができる。塵埃除去作業が終了した後は、カメラの前カバー及び後ろカバーを取り付けてカメラ１０の組み立てが完了する。
　【００３６】
　前記対物レンズ３６を介して入射した被写体光は、前記プリズム７２によって、図５に示したように、下方へ折り曲げられ、次いで、前方へ折り返され、更に、入射光軸と直交する方向、即ち、カメラ１０の横方向へ折り曲げられ、プリズムの出射面７２Ｅに結像される。そして、この出射面７２Ｅに結像された被写体像をフィールドレンズ８２及び接眼レンズ７４を介して接眼部から観察することができる。前記出射面７２Ｅは、上述の塵埃除去作業によって、塵埃が除去されているので接眼部からは良好な被写体像が観察される。
　【００３７】
　また、撮影者が前記ズームスイッチを操作して、撮影レンズ１２の焦点距離を変更すると、撮影レンズ１２の焦点可変機構に連動して回動するギヤによって、カム軸５８が回動し（図４参照）、撮影レンズ系で変倍された倍率と略等しい被写体像をファインダーの接眼部に形成することができる。また、撮影者がＣＨＰつまみ９０を操作して希望するアスペクト比を選択すると、前述のようにＣＰ視野枠７６が拡縮し、視野の切替が行われる。
　【００３８】
　上記実施の形態では、塵埃除去用の気体吹き込み孔をファインダーユニットの上面及び背面に、それぞれ１か所ずつ形成する場合について説明したが、孔を形成する位置は他の場所に形成してもよく、また、孔を形成する数についても複数箇所に形成してもよい。
　上記実施の形態では、ＣＨＰの３段階に視野の切替が可能なズームファインダーについて説明したが、視野の切替の有無によらず、また、ファインダー変倍光学系の有無によらず、ファインダーの光学部品を枠体に収納してファインダーユニットを形成するものに広く適用することができる。
　【００３９】
　【発明の効果】
　以上説明したように本発明に係るファインダーの塵埃除去構造によれば、ファインダー光学系を収納するケースに、気体を吹き込むことができる開口部を組込状態で露出する部分に設けたので、前記ケースをカメラボディーに組み込んだ後に、該開口部から気体を吹き込み光学部品に付着した塵埃を除去することができる。これにより、ファインダー光学系の経路中に付着した塵埃を効果的に飛散させ除去することができるとともに、カメラの組み立て工程における塵埃除去作業の効率化を図ることができる。
　【００４０】
　また、ケースの底面に粘着テープを配置して飛散した塵埃を付着させるようにしたので、飛散した塵埃が光学部品に再付着するのを防止できる。
【図面の簡単な説明】
　【図１】
　本発明に係るファインダーの塵埃除去構造が適用されたカメラの外観を示す斜視図
　【図２】
　カメラ１０の内部に組み込まれたファインダーユニット３０の斜視図
　【図３】
　ファインダーユニット３０の第１ブロックと第２ブロックの斜視図
　【図４】
　ファインダーユニット３０の第１ブロックの分解斜視図
　【図５】
　ファインダーユニット３０の第２ブロックの分解斜視図
　【図６】
　ファインダー視野切替機構の構造図
　【図７】
　第２ブロックの背面図
　【図８】
　ファインダーの塵埃除去構造を説明する為の断面図
　【符号の説明】
　１０…カメラ
　３０…ファインダーユニット
　３１…本体ケース
　３３…カメラボディー
　３６…対物レンズ
　４０…第１の収納ケース
　４２、４３…移動レンズ
　４４…長孔
　７０…第２の収納ケース
　７１…孔
　７２…プリズム